(57)【要約】【課題】障害の発生によって使用不可能となったチャネルを、速やかに別のチャネルに切り替えることのできるチャネル切替装置、チャネル切替方法およびチャネル切替プログラムを提供すること。【解決手段】割り当てられた各チャネルの信号処理を行うベースバンド信号処理部１０４１〜１０４ｎのいずれかに障害が発生すると、ベースバンド信号処理部１０４の状態を監視する障害発生検出部１０５が、障害発生を検出し、検索処理部２０３が、障害発生によって使用不可能となった制御チャネルの切替先として障害の発生した信号処理手段以外のベースバンド信号処理部１０４の空きチャネルを検索した後、いずれかの空きチャネルを選択する。その後、制御チャネル切替処理部２０１は、当該制御チャネルを選択されたチャネルに切り替える。【選択図】　　図１
2004064395.tif 000002
【特許請求の範囲】
【請求項１】
障害発生によって使用不可能となったチャネルを別の空きチャネルに切り替えるチャネル切替装置であって、
割り当てられた各チャネルの信号処理を行う複数の信号処理手段と、
前記複数の信号処理手段の状態を監視することにより、各信号処理手段における障害の発生を検出する障害発生検出手段と、
前記障害発生検出手段によって障害の発生が検出されると、当該障害が発生した信号処理手段を除く他の信号処理手段の空きチャネルを検索する検索処理手段と、
前記障害が発生した信号処理手段のチャネルを前記検索処理手段によって検索された空きチャネルに切り替えるチャネル切替処理手段と、
を備えたことを特徴とするチャネル切替装置。
【請求項２】
前記障害が発生した信号処理手段のチャネルが制御チャネルであって、前記検索処理手段による検索の結果、前記他の信号処理手段に複数の空きチャネルがある場合、
前記検索処理手段は、前記他の信号処理手段にわたって制御チャネルが分散するよう前記複数の空きチャネルの中からいずれか１つを選択し、
前記チャネル切替処理手段は、前記障害が発生した信号処理手段の制御チャネルを前記検索処理手段によって選択された空きチャネルに切り替えることを特徴とする請求項１記載のチャネル切替装置。
【請求項３】
前記障害発生検出手段は、各信号処理手段の障害発生回数を記憶し、
前記検索処理手段は、前記他の信号処理手段に複数の空きチャネルがある場合、障害発生回数が最も少ない信号処理手段の空きチャネルを選択し、
前記チャネル切替処理手段は、前記障害が発生した信号処理手段の制御チャネルを前記検索処理手段によって選択された空きチャネルに切り替えることを特徴とする請求項１記載のチャネル切替装置。
【請求項４】
当該障害が発生した信号処理手段を除く他の信号処理手段に空きチャネルがない場合、
前記検索処理手段は、前記他の信号処理手段で使用されている通信チャネルのいずれか１つを選択し、
前記チャネル切替処理手段は、前記障害が発生した信号処理手段の制御チャネルを前記検索処理手段によって選択されたチャネルに切り替えることを特徴とする請求項１、２または３記載のチャネル切替装置。
【請求項５】
前記障害が発生した信号処理手段のチャネルが制御チャネルであって、
前記検索処理手段は、前記他の信号処理手段にわたって制御チャネルが分散するよう、前記他の信号処理手段で使用されている通信チャネルを選択することを特徴とする請求項４記載のチャネル切替装置。
【請求項６】
前記チャネル切替処理手段は、前記検索処理手段によって選択された通信チャネルの解放を待って空きチャネルとなった後、チャネル切替を行うことを特徴とする請求項４または５記載のチャネル切替装置。
【請求項７】
前記検索処理手段によって選択された通信チャネルを強制的に解放するチャネル強制解放手段を備え、
前記チャネル切替処理手段は、前記チャネル強制解放手段によって前記検索処理手段で選択された通信チャネルが強制的に解放され空きチャネルとなった後、チャネル切替を行うことを特徴とする請求項４または５記載のチャネル切替装置。
【請求項８】
複数の制御チャネルが割り当てられた信号処理手段に障害が発生した場合、
前記切替処理手段は、制御する通信チャネル数の多い制御チャネルの切替を優先して行うことを特徴とする請求項１、２、３、４、５または６記載のチャネル切替装置。
【請求項９】
障害発生によって使用不可能となったチャネルを別の空きチャネルに切り替えるチャネル切替方法であって、
割り当てられた各チャネルの信号処理を行う複数の信号処理手段の状態を監視することにより、各信号処理手段における障害の発生を検出する障害発生検出ステップと、
前記障害発生検出ステップで障害の発生が検出されると、当該障害が発生した信号処理手段を除く他の信号処理手段の空きチャネルを検索する検索処理ステップと、
前記障害が発生した信号処理手段のチャネルを前記検索処理ステップで検索された空きチャネルに切り替えるチャネル切替処理ステップと、
を有することを特徴とするチャネル切替方法。
【請求項１０】
前記障害が発生した信号処理手段のチャネルが制御チャネルであって、前記検索処理ステップでの検索の結果、前記他の信号処理手段に複数の空きチャネルがある場合、
前記他の信号処理手段にわたって制御チャネルが分散するよう前記複数の空きチャネルの中からいずれか１つを選択する第１のチャネル選択ステップを有し、
前記チャネル切替処理ステップは、前記障害が発生した信号処理手段の制御チャネルを前記第１のチャネル選択ステップで選択された空きチャネルに切り替えることを特徴とする請求項９記載のチャネル切替方法。
【請求項１１】
前記検索処理ステップで前記他の信号処理手段に複数の空きチャネルが検索された場合、障害発生回数が最も少ない信号処理手段の空きチャネルを選択する第２のチャネル選択ステップを有し、
前記チャネル切替処理ステップは、前記障害が発生した信号処理手段の制御チャネルを前記第２のチャネル選択ステップで選択された空きチャネルに切り替えることを特徴とする請求項９記載のチャネル切替方法。
【請求項１２】
当該障害が発生した信号処理手段を除く他の信号処理手段に空きチャネルがない場合、
前記検索処理ステップは、前記他の信号処理手段で使用されている通信チャネルのいずれか１つを選択し、
前記チャネル切替処理ステップは、前記障害が発生した信号処理手段の制御チャネルを前記検索処理ステップで選択されたチャネルに切り替えることを特徴とする請求項９、１０または１１記載のチャネル切替方法。
【請求項１３】
前記障害が発生した信号処理手段のチャネルが制御チャネルであって、
前記検索処理ステップは、前記他の信号処理手段にわたって制御チャネルが分散するよう、前記他の信号処理手段で使用されている通信チャネルを選択することを特徴とする請求項１２記載のチャネル切替方法。
【請求項１４】
前記チャネル切替処理ステップは、前記検索処理ステップで選択された通信チャネルの解放を待って空きチャネルとなった後、チャネル切替を行うことを特徴とする請求項１２または１３記載のチャネル切替方法。
【請求項１５】
前記検索処理ステップで選択された通信チャネルを強制的に解放するチャネル強制解放ステップを有し、
前記チャネル切替処理ステップは、前記チャネル強制解放ステップにおいて前記検索処理ステップで選択された通信チャネルが強制的に解放され空きチャネルとなった後、チャネル切替を行うことを特徴とする請求項１２または１３記載のチャネル切替方法。
【請求項１６】
複数の制御チャネルが割り当てられた信号処理手段に障害が発生した場合、
前記切替処理ステップは、制御する通信チャネル数の多い制御チャネルの切替を優先して行うことを特徴とする請求項９、１０、１１、１２、１３または１４記載のチャネル切替方法。
【請求項１７】
請求項９から１６のいずれか一項に記載のチャネル切替方法をコンピュータに実行させるためのチャネル切替プログラム。
【発明の詳細な説明】
【０００１】
【発明の属する技術分野】
本発明は、障害の発生によって使用不可能となったチャネルを、速やかに別のチャネルに切り替えることのできるチャネル切替装置、チャネル切替方法およびチャネル切替プログラムに関する。
【０００２】
【従来の技術】
従来のチャネル切替装置としては、例えば特開平７−２７４２３９号公報に記載されているものがある。当該公報に記載の例では、割り当てられた各チャネルの信号処理を行う信号処理部に制御チャネルが割り当てられており、当該信号処理部に障害が発生した場合、予め登録されたチャネルに当該制御チャネルを切り替えている。
【０００３】
【発明が解決しようとする課題】
しかしながら、上記従来のチャネル切替装置にあっては、制御チャネルの切替先が固定されているため、当該切替先として登録されているチャネルが使用中の場合は当該チャネルが解放されるまで待つか強制的に解放しなければ、制御チャネルを切り替えることができない。したがって、障害発生を認識してから制御チャネルを実際に切り替えるまでの時間が長くなってしまうという問題があった。
【０００４】
本発明は、上記従来の問題に鑑みてなされたものであって、障害の発生によって使用不可能となったチャネルを、速やかに別のチャネルに切り替えることのできるチャネル切替装置、チャネル切替方法およびチャネル切替プログラムを提供することを目的としている。
【０００５】
【課題を解決するための手段】
上記問題を解決するために、本発明に係るチャネル切替装置は、障害発生によって使用不可能となったチャネルを別の空きチャネルに切り替えるチャネル切替装置であって、割り当てられた各チャネルの信号処理を行う複数の信号処理手段と、前記複数の信号処理手段の状態を監視することにより、各信号処理手段における障害の発生を検出する障害発生検出手段と、前記障害発生検出手段によって障害の発生が検出されると、当該障害が発生した信号処理手段を除く他の信号処理手段の空きチャネルを検索する検索処理手段と、前記障害が発生した信号処理手段のチャネルを前記検索処理手段によって検索された空きチャネルに切り替えるチャネル切替処理手段と、
を備えるものである。したがって、障害の発生によって使用不可能となったチャネルを、速やかに別のチャネルに切り替えることができる。
【０００６】
また、本発明に係るチャネル切替装置は、前記障害が発生した信号処理手段のチャネルが制御チャネルであって、前記検索処理手段による検索の結果、前記他の信号処理手段に複数の空きチャネルがある場合、前記検索処理手段は、前記他の信号処理手段にわたって制御チャネルが分散するよう前記複数の空きチャネルの中からいずれか１つを選択し、前記チャネル切替処理手段は、前記障害が発生した信号処理手段の制御チャネルを前記検索処理手段によって選択された空きチャネルに切り替えるものである。仮に複数の制御チャネルを信号処理手段にわたって分散させず、一つの信号処理手段に集中して割り当ててしまうと、当該制御チャネルが複数割り当てられた信号処理手段に新たに障害が発生した場合に、この影響を受ける制御チャネルが複数にまたがってしまうため、切替処理にその分時間を要してしまうこととなる。したがって、本発明に係るチャネル切替装置によれば、一回あたりの障害発生によって影響を受ける制御チャネルの数を少なくすることができる。
【０００７】
また、本発明に係るチャネル切替装置は、前記障害発生検出手段は、各信号処理手段の障害発生回数を記憶し、前記検索処理手段は、前記他の信号処理手段に複数の空きチャネルがある場合、障害発生回数が最も少ない信号処理手段の空きチャネルを選択し、前記チャネル切替処理手段は、前記障害が発生した信号処理手段の制御チャネルを前記検索処理手段によって選択された空きチャネルに切り替えるものである。したがって、障害の発生しにくい安定した信号処理手段に、制御チャネルを切り替える事ができるので、新たな障害発生によって多大な影響を被ってしまう確率を低くする事ができる。
【０００８】
また、本発明に係るチャネル切替装置は、当該障害が発生した信号処理手段を除く他の信号処理手段に空きチャネルがない場合、前記検索処理手段は、前記他の信号処理手段で使用されている通信チャネルのいずれか１つを選択し、前記チャネル切替処理手段は、前記障害が発生した信号処理手段の制御チャネルを前記検索処理手段によって選択されたチャネルに切り替えるものである。したがって、信号処理手段に空きチャネルが存在しない場合であっても確実にチャネルの切替を行う事ができる。
【０００９】
また、本発明に係るチャネル切替装置は、前記障害が発生した信号処理手段のチャネルが制御チャネルであって、前記検索処理手段は、前記他の信号処理手段にわたって制御チャネルが分散するよう、前記他の信号処理手段で使用されている通信チャネルを選択するものである。仮に複数の制御チャネルを信号処理手段にわたって分散させず、一つの信号処理手段に集中して割り当ててしまうと、当該制御チャネルが複数割り当てられた信号処理手段に新たに障害が発生した場合に、この影響を受ける制御チャネルが複数にまたがってしまうため、切替処理にその分時間を要してしまうこととなる。したがって、本発明に係るチャネル切替装置によれば、一回あたりの障害発生によって影響を受ける制御チャネルの数を少なくすることができる。
【００１０】
また、本発明に係るチャネル切替装置は、前記チャネル切替処理手段は、前記検索処理手段によって選択された通信チャネルの解放を待って空きチャネルとなった後、チャネル切替を行うものである。したがって、すぐにチャネルを切り替えなくても良いときは、使用中のチャネルを解放する必要がないため、余分な影響を被ってしまう事を防ぐことができる。
【００１１】
また、本発明に係るチャネル切替装置は、前記検索処理手段によって選択された通信チャネルを強制的に解放するチャネル強制解放手段を備え、前記チャネル切替処理手段は、前記チャネル強制解放手段によって前記検索処理手段で選択された通信チャネルが強制的に解放され空きチャネルとなった後、チャネル切替を行うものである。したがって、前記他の信号処理手段に空きチャネルが存在しない場合であっても確実にチャネルの切替を行う事ができる。
【００１２】
また、本発明に係るチャネル切替装置は、複数の制御チャネルが割り当てられた信号処理手段に障害が発生した場合、前記切替処理手段は、制御する通信チャネル数の多い制御チャネルの切替を優先して行うものである。したがって、多くの通信チャネルの復旧を速やかに行う事ができるため、結果として、障害発生による影響を最小限に留める事ができる。
【００１３】
また、本発明に係るチャネル切替方法は、障害発生によって使用不可能となったチャネルを別の空きチャネルに切り替えるチャネル切替方法であって、割り当てられた各チャネルの信号処理を行う複数の信号処理手段の状態を監視することにより、各信号処理手段における障害の発生を検出する障害発生検出ステップと、前記障害発生検出ステップで障害の発生が検出されると、当該障害が発生した信号処理手段を除く他の信号処理手段の空きチャネルを検索する検索処理ステップと、前記障害が発生した信号処理手段のチャネルを前記検索処理ステップで検索された空きチャネルに切り替えるチャネル切替処理ステップと、を有するものである。
【００１４】
また、本発明に係るチャネル切替方法は、前記障害が発生した信号処理手段のチャネルが制御チャネルであって、前記検索処理ステップでの検索の結果、前記他の信号処理手段に複数の空きチャネルがある場合、前記他の信号処理手段にわたって制御チャネルが分散するよう前記複数の空きチャネルの中からいずれか１つを選択する第１のチャネル選択ステップを有し、前記チャネル切替処理ステップは、前記障害が発生した信号処理手段の制御チャネルを前記第１のチャネル選択ステップで選択された空きチャネルに切り替えるものである。
【００１５】
また、本発明に係るチャネル切替方法は、前記検索処理ステップで前記他の信号処理手段に複数の空きチャネルが検索された場合、障害発生回数が最も少ない信号処理手段の空きチャネルを選択する第２のチャネル選択ステップを有し、前記チャネル切替処理ステップは、前記障害が発生した信号処理手段の制御チャネルを前記第２のチャネル選択ステップで選択された空きチャネルに切り替えるものである。
【００１６】
また、本発明に係るチャネル切替方法は、当該障害が発生した信号処理手段を除く他の信号処理手段に空きチャネルがない場合、前記検索処理ステップは、前記他の信号処理手段で使用されている通信チャネルのいずれか１つを選択し、前記チャネル切替処理ステップは、前記障害が発生した信号処理手段の制御チャネルを前記検索処理ステップで選択されたチャネルに切り替えるものである。
【００１７】
また、本発明に係るチャネル切替方法は、前記障害が発生した信号処理手段のチャネルが制御チャネルであって、前記検索処理ステップは、前記他の信号処理手段にわたって制御チャネルが分散するよう、前記他の信号処理手段で使用されている通信チャネルを選択するものである。
【００１８】
また、本発明に係るチャネル切替方法は、前記チャネル切替処理ステップは、前記検索処理ステップで選択された通信チャネルの解放を待って空きチャネルとなった後、チャネル切替を行うものである。
【００１９】
また、本発明に係るチャネル切替方法は、前記検索処理ステップで選択された通信チャネルを強制的に解放するチャネル強制解放ステップを有し、前記チャネル切替処理ステップは、前記チャネル強制解放ステップにおいて前記検索処理ステップで選択された通信チャネルが強制的に解放され空きチャネルとなった後、チャネル切替を行うものである。
【００２０】
また、本発明に係るチャネル切替方法は、複数の制御チャネルが割り当てられた信号処理手段に障害が発生した場合、前記切替処理ステップは、制御する通信チャネル数の多い制御チャネルの切替を優先して行うものである。
【００２１】
さらに、本発明に係るチャネル切替プログラムは、請求項９から１６のいずれか一項に記載のチャネル切替方法をコンピュータに実行させるものである。
【００２２】
【発明の実施の形態】
以下、本発明に係るチャネル切替装置の実施の形態について、図面を参照して詳細に説明する。なお、本実施形態の説明では、本発明に係るチャネル切替装置およびチャネル切替方法について詳述するが、本発明に係るチャネル切替プログラムについては、チャネル切替装置に含まれる各構成要素として実現するためのプログラムであることから、以下の説明に含まれる。
【００２３】
図１は、本発明に係るチャネル切替装置を含んだ無線通信システムの構成例を示すブロック図である。図１に示すように、本実施形態の無線通信システムは、移動局１０２と、移動局１０２にとっての基地局である無線基地局１０１と、無線基地局１０１を遠隔操作するための無線基地局制御装置１１０とから構成されている。なお、無線基地局１０１は、一般的な基地局としての機能の他に、本発明に係るチャネル切替装置の機能も備えている。
【００２４】
以下、本実施形態の無線基地局１０１について説明する。
無線基地局１０１は、特許請求の範囲の信号処理手段に該当するベースバンド信号処理部１０４（１０４１〜１０４ｎ）と、呼処理制御部１０３と、障害発生検出手段に該当する障害発生検出部１０５と、チャネル切替処理手段に該当する制御チャネル切替処理部２０１と、チャネル強制解放手段に該当する通信チャネル切替処理部２０２と、検索処理手段に該当する検索処理部２０３とを備えて構成されている。
【００２５】
次に、本実施形態の無線基地局１０１の各構成要素について説明する。ベースバンド信号処理部１０４１〜１０４ｎは、割り当てられた各チャネルの信号処理を行うものである。呼処理制御部１０３は、ベースバンド信号処理部１０４１〜１０４ｎのそれぞれに対して制御チャネルまたは通信チャネルを割り当てるものである。
【００２６】
障害発生検出部１０５は、常に各ベースバンド信号処理部１０４１〜１０４ｎの状態を監視することによって、障害の発生を検出するものである。障害発生検出部１０５は、ベースバンド信号処理部１０４１〜１０４ｎのいずれかに障害が発生したことを検出した場合、検索処理部２０３に障害発生を通知すると共に、各ベースバンド信号処理部１０４１〜１０４ｎのチャネル構成情報を検索処理部２０３に送る。なお、チャネル構成情報とは、割り当てられているチャネルの種類等をベースバンド信号処理部１０４毎に示す情報である。
【００２７】
検索処理部２０３は、障害が発生したベースバンド信号処理部（ベースバンド信号処理部１０４ｋとする。）に割り当てられている制御チャネルの切替先として利用する、ベースバンド信号処理部１０４ｋを除く他のベースバンド信号処理部１０４の空きチャネルを各ベースバンド信号処理部１０４のチャネル構成情報から検索するものである。
【００２８】
検索の結果、複数の空きチャネルが存在する場合、検索処理部２０３は当該複数の空きチャネルの中からいずれか１つを切替先チャネルとして選択する。但し、検索処理部２０３は、ベースバンド信号処理部１０４１〜１０４ｎにわたって制御チャネルが分散するよう、切替先チャネルを選択する。仮に複数の制御チャネルを一つのベースバンド信号処理部に集中して割り当ててしまうと、当該制御チャネルが複数割り当てられたベースバンド信号処理部に新たに障害が発生した場合に、この影響を受ける制御チャネルが複数にまたがってしまうため、切替処理にその分時間を要してしまうこととなる。したがって、検索処理部２０３は、ベースバンド信号処理部１０４１〜１０４ｎにわたって制御チャネルが分散するよう、切替先チャネルを選択し、一回あたりの障害発生によって影響を受ける制御チャネルの数を少なくするものである。
【００２９】
また、空きチャネルが存在しない場合は、ベースバンド信号処理部１０４ｋを除く他のベースバンド信号処理部１０４で使用されている通信チャネルのいずれかを切替先チャネルとして選択する。なお、通信チャネルが複数ある場合にどのチャネルを選択するかは、先と同様に、ベースバンド信号処理部１０４１〜１０４ｎにわたって制御チャネルが分散するように選択する。
【００３０】
このように、切替先チャネルを選択した後、検索処理部２０３は、当該切替先として選択されたチャネルのチャネル情報（以下、切替先チャネル情報という。）を制御チャネル切替処理部２０１に送る。
【００３１】
制御チャネル切替処理部２０１は、検索処理部２０３から切替先チャネル情報を受け取ると、当該切替先チャネル情報が示すチャネルを障害が発生したベースバンド信号処理部１０４ｋに割り当てられていた制御チャネルの代替として制御チャネルに割り当てるものである。すなわち、制御チャネル切替処理部２０１は、当該切替先が空きチャネルであれば、その空きチャネルに制御チャネルを切り替える。しかし、当該切替先が使用中の通信チャネルであれば、通信チャネル切替処理部２０２に切替先チャネル情報を送ると共に、当該使用中の通信チャネルを解放するよう指示する。この場合、制御チャネル切替処理部２０１は、通信チャネル切替処理部２０２によって解放されたこの空きチャネルに制御チャネルを割り当てる。
【００３２】
通信チャネル切替処理部２０２は、障害の発生したベースバンド信号処理部１０４ｋの制御チャネルの切替先として、検索処理部２０３によって使用中の通信チャネルが選択された場合に、当該通信チャネルを解放して空きチャネルとするものである。
【００３３】
以上の説明以外に、障害発生によって複数の制御チャネルが同時に影響を受けた場合、制御チャネル切替処理部２０１は、制御する通信チャネル数の多い制御チャネルを優先して切り替える。このため、障害発生によって影響を受けた通信チャネルを、より多くかつ早く復旧させることができる。
【００３４】
また、呼処理制御部１０３による新たに発生した呼に対して行う通信チャネルおよび制御チャネルの割当てと、制御チャネル切替処理部２０１による障害発生時の制御チャネル切替えとが同時に行われようとするとき、本実施形態の無線基地局１０１は、制御チャネル切替処理部２０１の動作を優先する。このため、障害発生による影響に対して早急に対処することができるため、結果として、より多くの通信チャネルを通信可能にすることができる。
【００３５】
次に、図２に示した一例に基づいて、ベースバンド信号処理部１０４に障害が発生した際のチャネル切替について説明する。図２は、本実施形態に係るベースバンド信号処理部１０４１〜１０４３へのチャネル割当の一例を示す図である。図２に示すように、無線基地局１０１には３つのベースバンド信号処理部１０４１〜１０４３が設けられており、＃１１、＃２１には制御チャネルが割り当てられ、＃１２、＃１３、＃１４、＃２２、＃２３、＃３１、＃３２には通信チャネルが割り当てられ、＃２４、＃３３、＃３４は空きチャネルとなっている。
【００３６】
以下、図２に示した例のチャネル割当状態で、ベースバンド信号処理部１０４１に障害が発生した場合について説明する。まず、図１に示した障害発生検出部１０５が、ベースバンド信号処理部１０４１の障害発生を検出すると、検索処理部２０３に当該ベースバンド信号処理部１０４１の障害発生を通知すると共に、各ベースバンド信号処理部１０４１〜１０４３のチャネル構成情報を送る。検索処理部２０３は、ベースバンド信号処理部１０４１のチャネル構成情報から＃１１が制御チャネルであることを認識した後、他のベースバンド信号処理部１０４２，１０４３のチャネル構成情報から空きチャネルを検索する。
【００３７】
図２に示されているように、空きチャネルは＃２４，＃３３，＃３４の３つのチャネルがあるが、この場合、検索処理部２０３は制御チャネル＃１１の切替先として＃３３または＃３４のいずれかのチャネルを選択する。仮に＃２４を選択すると、ベースバンド信号処理部１０４２には＃２１と＃２４の２つの制御チャネルが割り当てられ、ベースバンド信号処理部１０４３には制御チャネルが全く割り当てられていない状態となるため、上述したように制御チャネルを分散させるといった意味で、＃３３または＃３４のいずれかのチャネルを選択する。
【００３８】
以下の説明では、＃３３が選択されたものとして説明を行う。検索処理部２０３は、切替先チャネル情報を制御チャネル切替処理部２０１に送ることによって、切替先として空きチャネル＃３３を選択したことを制御チャネル切替処理部２０１に通知する。当該切替先チャネル情報は＃３３に関する情報であるため、制御チャネル切替処理部２０１は＃３３を制御チャネルに割り当てる。
【００３９】
次に、本実施形態の無線基地局１０１の動作（チャネル切替方法）について、図３を参照して説明する。図３は、本実施形態の無線基地局１０１のチャネル切替に関する処理手順について説明するフローチャートである。
【００４０】
障害発生検出部１０５から障害発生の通知を受けた検索処理部２０３は、制御チャネルの切替先チャネルとして、従来のように予め登録されたチャネルに切り替えるか、それとも本実施形態のように空きチャネルに切り替えるかを判断する。予め登録されたチャネルに切り替える方式は従来の技術であるため説明を省略し、以下の説明では空きチャネルに切り替える方式について説明する。
【００４１】
図３に示すように、検索処理部２０３は、ステップＳ２で、障害発生検出部１０５から送られた各ベースバンド信号処理部１０４のチャネル構成情報から、障害が発生したベースバンド信号処理部を除く他のベースバンド信号処理部に空きチャネルがあるかを判断する。当該ステップＳ２において、空きチャネルがある場合はステップＳ３へ進み、ない場合はステップＳ８へ進む。
【００４２】
ステップＳ３（空きチャネルがある場合）では、空きチャネルが複数あるかを検索処理部２０３が判断し、複数ある場合はステップＳ４に進み、１つだけの場合はステップＳ６に進む。ステップＳ４では、検索処理部２０３が、複数の空きチャネルの中からいずれかの空きチャネルを切替先として選択し、ステップＳ６に進む。なお、ステップＳ４で選択された空きチャネルには後述するステップＳ１８で制御チャネルが割り当てられるが、上述したように、空きチャネルが複数ある場合は、ベースバンド信号処理部１０４にわたって制御チャネルが分散するよう空きチャネルを選択する。
【００４３】
ステップＳ６では、検索処理部２０３が切替先として選択した空きチャネルを示す切替先チャネル情報を制御チャネル切替処理部２０１に通知する。次に、ステップＳ１８では、制御チャネル切替制御部２０１が、当該切替先チャネル情報に基づいて、選択された空きチャネルに制御チャネルを割り当てて一連の処理を終了する。
【００４４】
一方、ステップＳ８（空きチャネルがない場合）では、検索処理部２０３は、障害が発生したベースバンド信号処理部を除く他のベースバンド信号処理部で使用されている通信チャネルの解放を待つか判断する。当該ステップＳ８において、解放を待つ場合はステップＳ２に戻り、解放を待たない場合はステップＳ１０に進む。ステップＳ１０において、検索処理部２０３は、使用中の通信チャネルの中からいずれかを制御チャネルの切替先として選択する。なお、上述したように、使用中の通信チャネルが複数ある場合は、ベースバンド信号処理部１０４を通して制御チャネルが分散するよう通信チャネルを選択する。次に、ステップＳ１２では、検索処理部２０３が切替先として選択した通信チャネルを示す切替先チャネル情報を制御チャネル切替処理部２０１に通知する。
【００４５】
次に、ステップＳ１３において、制御チャネル切替処理部２０１が切替先チャネル情報を通信チャネル切替処理部２０２に送ると共に、当該使用中の通信チャネルを解放するよう指示する。次に、ステップＳ１４において、通信チャネル切替処理部２０２は、切替先チャネル情報に基づいて通信チャネルを解放し、空きチャネルとする。その後、ステップＳ１６において、通信チャネル切替処理部２０２は、ステップＳ１４で解放した空きチャネルを示す切替先チャネル情報を制御チャネル切替処理部２０１に通知する。そして、ステップＳ１８で、制御チャネル切替処理部２０１は、当該切替先チャネル情報に基づいて、解放された空きチャネルに制御チャネルを割り当てて一連の処理を終了する。
【００４６】
以上説明したように本実施形態では、ベースバンド信号処理部１０４１〜１０４ｎのいずれかに障害が発生すると、当該障害が発生したベースバンド信号処理部１０４ｋ以外のベースバンド信号処理部１０４の空きチャネルを検索した後、いずれかの空きチャネルを選択し、当該選択された空きチャネルに前記障害が発生したベースバンド信号処理部１０４ｋの制御チャネルを割り当てることで、制御チャネルを切り替えている。したがって、従来のように切替先チャネルが固定されている場合と比較して、障害発生を認識してから制御チャネルを実際に切り替えるまでの時間を短縮することができる。すなわち、制御チャネルを速やかに切り替えることができる。
【００４７】
また、空きチャネルがない場合は、障害が発生したベースバンド信号処理部１０４ｋ以外のベースバンド信号処理部１０４で使用されている通信チャネルを選択し、当該通信チャネルが解放され空きチャネルとなった後に、制御チャネルを切り替えているため、確実に制御チャネルを切り替えることができる。
【００４８】
さらに、本実施形態によれば、障害発生の検出から制御チャネルの切替えまでを全て、無線基地局１０１の内部で行うことができるため、障害発生によって通信チャネルが使用不可能となってから制御チャネルの切替えによって通信を復旧させるまでの時間を短縮することができる。
【００４９】
なお、本実施形態では無線基地局１０１内で自律的に制御チャネルを切り替えているが、無線基地局制御装置１１０からの遠隔操作によって制御チャネルを切り替えてもよい。この場合、無線基地局１０１の動作を試験することができるため、運用保守に役立つ。
【００５０】
また、本実施形態では制御チャネルのみを切り替えているが、通信チャネルを切り替えても良い。したがって、制御チャネルだけでなく通信チャネルの通信も復旧させることができる。
【００５１】
なお、制御チャネルを割り当てることのできる空きチャネルが複数ある場合に、検索処理部２０３は、ベースバンド信号処理部１０４にわたって制御チャネルが分散するよう空きチャネルを選択しているが、障害発生回数が最も少ないベースバンド信号処理部の空きチャネルを選択しても良い。この場合、障害の発生しにくい安定したベースバンド信号処理部に、制御チャネルを切り替える事ができるので、新たな障害発生によって多大な影響を被ってしまう確率を低くする事ができる。但し、各ベースバンド信号処理部１０４の障害発生回数は、障害発生検出部１０５に記憶されているものとする。
【００５２】
【発明の効果】
以上説明したように本発明によれば、障害の発生によって使用不可能となったチャネルを、速やかに別のチャネルに切り替えることができる。
【図面の簡単な説明】
【図１】本発明に係るチャネル切替装置を含んだ無線通信システムの構成例を示すブロック図である。
【図２】本実施形態に係るベースバンド信号処理部１０４１〜１０４３へのチャネル割当の一例を示す図である。
【図３】本実施形態の無線基地局１０１のチャネル切替に関する処理手順について説明するフローチャートである。
【符号の説明】
１０１　無線基地局
１０２　移動局
１０３　呼処理制御部
１０４１〜１０４ｎ　ベースバンド信号処理部
１０５　障害発生検出部
２０１　制御チャネル切替処理部
２０２　通信チャネル切替処理部
２０３　検索処理部
【図１】
2004064395.tif 000003
【図２】
2004064395.tif 000004
【図３】
2004064395.tif 000005